(57)【要約】      （修正有）【課題】高齢者や身障者に冷たさを感じさせたり、振動による不快感をいだかせることなく、安心且つ安全に使用できる歩行補助器を提供する。【解決手段】左右に間隔を保って対設した前後方向に長い合板製の支持板１の前端を連結板２より連結してＵ字形の台枠Ａを形成し、該台枠Ａにおける左右の支持板１の前端部にキャスター３を取り付け、左右の支持板１の後端には、中間部に曲成した可撓性を有する下向きの傾斜部１ａを挟んで、床面に接する摺動部１ｂを形成し、前記台枠Ａにおける左右の支持板１の前端部に樹立した一対の側板４内に可動枠５を昇降自在に嵌着し、該可動枠５における左右の合板製の縦杆５ａの上端に後方への彎曲部９を曲成すると共に、その先端に前記摺動部１ｂの上方にハンドル１０を配して木製の歩行補助器を構成する。【選択図】図１
0003156680.tif 000002
【実用新案登録請求の範囲】
【請求項１】
左右に間隔を保って対設した前後方向に長い合板製の支持板の前端を連結板より連結してＵ字形の台枠を形成し、該台枠における左右の支持板の前端部にキャスターを取り付け、左右の支持板の後端には、中間部に曲成した可撓性を有する下向きの傾斜部を挟んで、床面に接する摺動部を形成し、前記台枠における左右の支持板の前端部に樹立した一対の側板内に可動枠を昇降自在に嵌着し、該可動枠における左右の合板製の縦杆の上端に後方への彎曲部を曲成すると共に、その先端に前記摺動部の上方に位置するハンドルを形成したことを特徴とする木製の歩行補助器。
【考案の詳細な説明】
【技術分野】
【０００１】
本考案は、高齢者や身障者が、主に屋内で使用する木製の歩行補助器の関するものである。
【背景技術】
【０００２】
金属パイプを折り曲げ、溶接して前側枠と左右両側枠よりなる枠体を形成し、この枠体の四隅にキャスターを取り付けた歩行補助器が広く使用されている（例えば、特開平８−１０７９１７号公報）。この歩行補助器は、全体が金属パイプ製のため、温か味がなく、また車輪の転動時に生ずる振動が支持枠体に伝わり、そのまま身体に伝達されるため、使用者に不快感を与える欠点があった。また使用者が枠体内に入り、左右両側枠を握って歩行するものであるから、下肢が不自由な身障者の場合は、往々にして歩行補助器が先行して身体が前のめりの状態となり、転倒することがあった。
【０００３】
このような欠点を改良するため、下肢が不自由な人の体重及び姿勢を支持する枠体を備えた歩行補助器における４本の脚部のうち、前側の一対の脚部下端には車輪を設け、後ろ側の一対の脚部下端には進行方向の先端部が上方に彎曲した扁平な取付板を設け、該取付板の下面には摺動カバーを着脱自在に取り付けた歩行補助器が開発された（実用新案登録第３１４０１９９号公報）。
【０００４】
この従来の歩行補助器は、前者の場合と同様に、使用者が枠体内に入って歩行するものであり、枠体に体重を掛けて後ろ側の一対の取付板を床面に圧接させることにより、使用者の歩行速度より歩行補助器が先行するのを防止するものである。しかし、使用者が不用意に枠体の前寄りに体重を掛けたとき、或いは歩行中に前輪が障害物、例えば部屋内にあっては敷居やマットの縁に衝突し、その反動で体重が枠体の前寄りに移るときは、枠体が前輪を中心として前側に回動し、転倒して思わぬ事故を生ずるおそれがある。また全体が金属パイプ製のための欠点は解消されない。
【先行技術文献】
【特許文献】
【０００５】
【特許文献１】特開平８−１０７９１７号公報
【特許文献２】実開昭５５−１６８３３３号公報
【考案の概要】
【考案が解決しようとする課題】
【０００６】
本考案が解決しようとする課題は、使用者に冷たさを感じさせたり、振動による不快感をいだかせることなく、安全に使用できることである。
【課題を解決するための手段】
【０００７】
本考案に係る木製の歩行補助器は、上記課題を解決するために、左右に間隔を保って対設した前後方向に長い合板製の支持板の前端を連結板より連結してＵ字形の台枠を形成し、該台枠における左右の支持板の前端部にキャスターを取り付け、左右の支持板の後端には、中間部に曲成した可撓性を有する下向きの傾斜部を挟んで、床面に接する摺動部を形成し、前記台枠における左右の支持板の前端部に樹立した一対の側板内に可動枠を昇降自在に嵌着し、該可動枠における左右の合板製の縦杆の上端に後方への彎曲部を曲成すると共に、その先端に前記摺動部の上方に位置するハンドルを形成したことを特徴としている。
【０００８】
この木製の歩行補助器は、使用者の身長に合わせて可動枠を昇降させ、ハンドルの高さを調節した後、台枠の後方に立ち、左右のハンドルを握って下方へ軽く押しながら歩行するとキャスターが床面を転動し、摺動部が床面を押圧しながら走行する。万一使用者の歩行速度より歩行補助器の進行速度が早くなるときは、ハンドルに体重を掛けて下方へ強く押圧すると、ハンドルの下方に位置する支持板の傾斜部が撓り、摺動部が床面に圧接し、歩行補助器の走行が制動される。
【０００９】
また前端のキャスターが敷居等の障害物に衝突した場合、ハンドルを彎曲部の撓りを利用して下方へ強く押圧すると、キャスターを中心とした本補助器の前方への転倒が阻止される。また全体が木製のため、感触がソフトで温か味があり、移動時における振動が台枠、左右の側板、及び可動枠により緩衝されるため、使用者への振動が軽減されるのである。
【考案の効果】
【００１０】
本考案に係る木製の歩行補助器は、使用者がハンドルの下方への押圧力を調節することにより、本補助器を歩行速度に合わせることができ、また前側のキャスターが敷居等に衝突しても、本補助器の前方への回動を阻止することができるので、下肢の不自由な使用者が安心し、且つ安全に歩行することができる。
【００１１】
本考案に係る歩行補助器は木製のため、感触がソフトで温か味があり、身体への振動も少なく、また台枠は支持板の傾斜部により、ハンドルは彎曲部により、適度のクッション効果が得られるため、高齢者や身障者が軽快に歩行することができる。
【図面の簡単な説明】
【００１２】
【図１】本考案に係る木製の歩行補助器の実施の形態を示す斜視図である。
【図２】同上正面図である。
【図３】同上平面図である。
【図４】図２に示すＸ−Ｘ断面図である。
【考案を実施するための形態】
【００１３】
図１乃至図４に基づいて、本考案に係る木製の歩行補助器の実施の形態を詳述する。
【００１４】
符号Ａは木製の台枠であり、左右に間隔を保ち且つ足が不自由な人が容易に歩行できるように、後端を外側に広げた状態で配設した前後方向に長い一対の支持板１と、その前端を連結した連結板２とよりなり、少なくとも左右の支持板１は、上下に単板が積層された合板により形成している。また左右の支持板１の前端下面にはキャスター３を取り付け、中間部には可撓性を有する下向きの傾斜部1aを曲成し、その後端に床面に接する摺動部1bを形成している。
【００１５】
符号４は左右の支持板1aの前端部に樹立した一対の木製の側板であり、符号５は側板４内に昇降自在に嵌合した可動枠５である。この可動枠５は、合板製の左右の縦杆5aを上下の横杆5bにより連結してなり、左右の縦杆5aを左右の側板４の内壁に形成した縦溝4aに挿入し、縦杆5aの上下に穿設した透孔６と、側板４の上下に間隔を保って穿設した透孔７とにボルト８を嵌入して左右の側板４内に可動枠５を固定している。
【００１６】
符号９は左右の縦杆5aの上端を後方に曲成した可撓性を有する彎曲部である。符号１０は彎曲部８の後端を後方へ延長して、下向きに緩やかに彎曲させて形成したハンドルであり、その表面をゴム状の被膜層で覆っている。またこのハンドル１０は、前記台枠Ａにおける摺動部1bの上方に位置している。尚、符号１１は可動枠５の横杆5bに突設した小物用フックであり、１２は左右の側板の連結板である。
【００１７】
上記実施例における歩行補助器は、使用者の身長に合わせて可動枠５を昇降させてハンドル１０の高さを調節し、合致した縦杆5aの透孔６と側板４の透孔７とにボルト８を挿入して締結した後、台枠Ａの後方に立ち、左右のハンドル９を握って下方へ軽く押しながら歩行すると、歩行補助器はキャスター３が床面を転動し、摺動部1bが床面を摺動して移動する。
【００１８】
使用者の歩みに比して歩行補助器が先行するときは、ハンドル１０を強く握り締めてハンドル１０に体重を掛け、下方へ強く押圧すると、台枠Ａにおける支持板１の傾斜部1aが撓って摺動部1bが床面に圧接する。そのため歩行補助器の走行速度が歩行速度に一致したり、歩行補助器の走行が一旦停止して、高齢者や身障者の転倒が防止される。
【００１９】
また使用者は、歩行補助器の後に立って腕を前に伸ばし、ハンドル１０を握って歩行するため、前端のキャスターが障害物に衝突したとき、瞬間的にハンドル１０を強く握って下方へ体重を掛けることができる。そのため、キャスター３を中心とした本補助器の前方への転倒が阻止される。しかも全体が木製のため、感触がソフトで温か味があり、走行時の振動が吸収され、使用者への振動が緩和されるので、高齢者や身障者が軽快に使用し得るものである。
【符号の説明】
【００２０】
Ａ        台  枠
１        支持板
1a        傾斜部
1b        摺動部
２        連結板
３        キャスター
４        側  板
4a        縦  溝
５        可動枠
5a        縦  杆
5b        連  杆
６        縦杆の透孔
７        側板の透孔
８        ボルト
９        彎曲部
１０      ハンドル
１１      小物用フック
１２      連結板
【図１】
0003156680.tif 000003
【図２】
0003156680.tif 000004
【図３】
0003156680.tif 000005
【図４】
0003156680.tif 000006
【手続補正書】
【提出日】平成21年11月11日(2009.11.11)
【手続補正１】
【補正対象書類名】明細書
【補正対象項目名】０００５
【補正方法】変更
【補正の内容】
【０００５】
【特許文献１】特開平８−１０７９１７号公報
【特許文献２】実用新案登録第３１４０１９９号公報